(57)【要約】      （修正有）【課題】除菌および逆流防止機能を有する、建造物の内壁あるいは天井に設置する室内空気吸引パネル構造を提供する。【解決手段】建造物内壁８に設置した室内空気吸引パネル１９であり、空気吸引部にフィルタ１８を介して吸引ファン６と殺菌灯７を配設し、吸引ファン及びクリーンファンユニット１５の作動により吸引された室内１０の空気がダクトボックス１６とエア配管１１を経由して室内に循環されるとともに、殺菌灯及びＨＥＰＡフィルタ１２により清浄化される、室内空気吸引パネル構造。【選択図】図１４
2015016279.tif 000002
【特許請求の範囲】
【請求項１】
内壁面又は天井面に設置される室内空気吸引パネルであって、壁に対向するパネルの内面に吸引ファンと殺菌灯が設けており、パネルの吸引口には、パンチ開孔が施された吸引板と前記吸引口を覆い被せるフィルターとを有することを特徴とする室内空気吸引パネル。
【請求項２】
前記吸引ファンと殺菌灯が１つのユニットとして構成されていることを特徴とする請求項１に記載の室内空気吸引パネル。
【請求項３】
前記ユニットは空気吸入口の内面に設けられていることを特徴とする請求項２に記載の室内空気吸引パネル。
【請求項４】
前記ユニットは空気の流れ方向に対して直角方向に分離して複数個設けられていることを特徴とする請求項２〜３に記載の室内空気吸引パネル。
【発明の詳細な説明】
【技術分野】
【０００１】  本発明は、各種建造物の内壁又は天井に設置する除菌と逆流防止を目的とする室内空気吸引パネル構造に関する。
【背景技術】
【０００２】  各種建造物の内壁に設置した従来の吸込みパネルの物がある（例えば、非特許文献１参照。）また、空気調和機に取り付けられた吸込みパネルの物がある（例えば、特許文献２参照。）。【０００３】  以下、図１５により、従来用いられている吸込みパネルを各種建造物の内壁に貼り付ける方法について説明する。
図において、従来の吸引パネルと空気調和機（以下、単に「クリーンファンユニット」という）による室内の空調方法は各種建造物の内壁８に吸引パネル１７を貼り付け、吸引パネル１７上部の天井１４裏には空気分岐ボックス（以下、単に「ダクトボックス」という）１６を添設して、吸引パネル１７に接する面は開口で吸引パネル１７と一体となっており自ら空気排出口を設けている、空気排出口とクリーンファンユニット１５の吸込口はエア配管１１で接続される。ＨＥＰＡフィルター１２を内蔵したクリーンファンユニット１５は天井１４裏に在り、その空気排出口は天井１４を切り抜いている。吸引パネル１７に吸引口１ａが設けられており、吸引口１ａはゴミやホコリを取り除く網を被せている。すなわち、クリーンファンユニット１５の起動で吸い込んだ室内１０の空気は吸引パネル１７の吸込口１ａの網を通過して上方（矢印方向）に吸い込まれダクトボックス１６とエア配管１１を径由してクリーンファンユニット１５に吸い込まれ、内部ＨＥＰＡフィルター１２を介して天井１４の空気排出口（矢印方向）から室内１０に吐出して室内１０の空気を清浄還流している。吸引力はクリーンファンユニット１５だけの動力で室内１０の空気の還流を繰り返している。
【先行技術文献】
【非特許文献】
【０００４】
【非特許文献１】  （株）日本医化機械製作所  ｗｗｗ．ｎｉｈｏｎｉｋａ．ｃｏ．ｊｐ  簡易型無菌診察システム
【非特許文献２】  （株）セオコーポレーション  総合カタログ  空調設備工事
【発明の概要】
【発明が解決しようとする課題】
【０００５】  従来技術の吸引パネルを併用した室内殺菌設備はクリーンファンユニット内蔵のＨＥＰＡフィルターだけの殺菌機能であるため除菌効果が低く、吸引パネル内部の隅々まで除菌が行き届かないばかりでなく、吸引パネル内に殺菌機能が無いため経時経過とともに吸引パネル内に微粒子やホコリ菌等が蓄積増殖され、異臭が発生し易く極めて清浄効果が低い、例えば、病院などの無菌室等向けには清浄面で均一性に欠き、多くの問題を有している。【０００６】  従来技術の室内空調設備は空気の流れを制御するものにクリ−ンファンユニットだけであり吸引力が弱く、吸引パネル内の空気の逆流現象が度々繰り返す可能性がある、例えば、病院などの無菌室等向けにはその逆流防止の対策を強く要求されている。
【課題を解決するための手段】
【０００７】  本発明は上記目的を達成するために空気吸引パネルの内部に吸引ファン及び殺菌灯を設置する。
【発明の効果】
【０００８】  １）本発明の空気吸引パネルは吸引口の内部左右に殺菌灯を配設した物である。すなわち、空気吸引パネル内部の隅々まで殺菌を施し空気吸引パネル内に微粒子のホコリ菌等が蓄積して異臭が発生し易い原因を消去する。
２）併せて、吸引口の内部左右に吸引ファンを併設した物である。吸引ファンにより強制的に内部の空気スペースに吸込まれダクトボックスを径由してクリ−ンファンユニットに吸い込まれ吸引力増進と逆流防止となる。
【図面の簡単な説明】
【図１】本発明による室内空気吸引パネルの部品群斜視図
【図２】本発明による吸引パネルの部品群斜視図
【図３】本発明による吸引板とプレフィルターの組付斜視図
【図４】本発明による吸引口枠斜視図
【図５】本発明による吸引パネルの組付斜視図
【図６】本発明による吸引パネルＡ−Ａ断面図
【図７】本発明による吸引ファン分解図と組付斜視図
【図８】本発明による殺菌灯斜視図
【図９】本発明による吸引ファン及び殺菌灯の取付け手順斜視図
【図１０】本発明による室内空気吸引パネルの組付け斜視図
【図１１】本発明による室内空気吸引パネルのＢ−Ｂ断面図
【図１２】本発明による室内空気吸引パネルの部品破断斜視図
【図１３】本発明による室内空気吸引パネルの並列据付断面図
【図１４】本発明による空気吸引パネルの空調系統図
【図１５】従来技術を示す吸引パネル空調系統図
【発明を実施するための形態】
【０００９】  以下、本発明の実施形態を図１〜図１４に基づいて説明する。
【実施例】
【００１０】  図１は室内空気吸引パネルの部品群を表す。室内空気吸引パネルは複合パネル１、パネル係止アングル２、角スタット３、吸引板４、フィルター１８、吸引口枠５、吸引ファン６、殺菌灯７、取付け板２０の部品群で形成される。取付け板２０には内側取付け板２０ａと外側取付け板２０ｂがある。円枠は吸引ファン６、殺菌灯７、取付け板２０である内側取付け板２０ａと外側取付け板２０ｂの部品拡大図を表す。【００１１】  図２は室内空気吸引パネルを形成する吸込パネルの部品群を表す。吸込パネルは複合パネル１、パネル係止アングル２、角スタット３、で形成されている。複合パネル１の下方に開口である吸引口１ａを施している。パネル係止アングル２は左側パネル係止アングル２ａと右側パネル係止アングル２ｂがある。角スタット３は左側角スタット３ａと右側角スタット３ｂがある。吸込みパネルは構造物の床面から天井まで伸びる上下長尺である。【００１２】  図３は吸引板４とフィルター１８（例えば、ＨＥＰＡフィルター）を表す。吸引板４はゴミを通過させないほどの微小のパンチ開孔４ａが施されている。吸込板４にフィルターガイド４ｅが施されておりフィルター１８が挿入（矢印方向１８ａ）される。吸引板４を複合パネル１の吸引口１ａに嵌め込むため２個のパネル係止４ｃと設置ガイド４ｄがある。また、吸込板４には指を差し込める指孔４ｂが有る。【００１３】  図４は吸引口枠を表す。吸引口枠５の中央は切り抜かれた開口５ｂである。左右内側曲げの枠ガイド５ｄと上下に４個の磁石５ｃで形成されている。【００１４】  図５は室内空気吸引パネルの吸引パネル１７を表す。吸引パネル１７はパネル係止アングル２と角スタット３を上下端揃えて複合パネル１の左右両端にそれぞれ貼り付けている。吸引板４にフィルター１８を挿入して吸込口枠５を嵌め込み、図３記載のパネル係止４ｃと設置ガイド４ｄで図２記載の吸引口１ａに覆い被せて組み込まれる。【００１５】  図６は図５記載の吸引パネル１７のＡ−Ａ断面図を表す。吸引パネルは右側パネル係止アングル２ｂと左側パネル係止アングル２ａおよび右側角スタット３ｂと左側角スタット３ａが複合パネル１の左右両端にそれぞれ貼り付けられている。建造物の内壁８に貼り付けて設置する。吸引板４にフィルター１８を挿入して吸込口枠５を嵌め込み、図２記載の吸引口１ａに覆い被せて組み込まれる。吸引パネルの中央に空気スペース９が設けられる。【００１６】  図７は室内の空気を吸い込む吸引ファン６（例えば、ロイヤル電機（株）製クロスファンＦＥ−３０／４０）を表す。丸円に表すように、吸引ファン６は羽根シャフト６ｂに直結された円筒状の回転羽根６ａが有る、長尺三日月状の羽根が複数個からなっている。羽根シャフト６ｂの両側に取付ベース６ｉを組付けられる。取付ベース６ｉにはファンモータ６ｃを据え付け、下方の取付ベース６ｉには羽根ボス６ｄを組付ける。羽根シャフト６ｂの下方には羽根ボス６ｄが嵌入されており上方にはファンモータ６ｃが直結される。ファンモータ６ｃを起動させると回転羽根６ａが羽根ボス６ｄを中心に回転する。また、羽根カバー６ｅが回転羽根６ａに接触しないように取付ベース６ｉ上下間に組付けられている。ファンモータ６ｃ���回転方向は時計、及び、反時計方向に設定可能な物である。羽根カバー６ｅを取り付けファンモータ６ｃの回転方向を設定することにより図１０記載の空気スペース９に空気が吸い込まれる仕組みになっている。吸引ファン６を吸引パネル内部の角スタットに組み込むための取付けネジ６ｆを表す。【００１７】  図８は殺菌灯（例えば、東芝製  殺菌灯ＧＴＷ−１５００１）を表す。蛍光灯本体７ｂに殺菌灯７ａが装着された除菌灯７である。【００１８】  図９は吸引ファン６及び殺菌灯７の取付け手順斜視図を表す。円内の吸引ファン６の取付ベース６ｉには複数個のネジタップ６ｊが設けられている。殺菌灯７にも複数個のネジタップが設けられている。内側取付け板２０ａと外側取付け板２０ｂにはそれぞれに対応する複数個のネジ孔がある。殺菌灯７を内側取付け板２０ａに取付けネジ７ｅで取り付け、吸引ファン６は取付ベース６ｉのネジタップ６ｊと取付けネジ６ｆで取り付ける。外側取付け板２０ｂは前記、角スタット３に取付けネジ３ｃで事前に取り付け固定されている。吸引ファン６と殺菌灯７が取り付けられた内側取付け板２０ａは外側取付け板２０ｂに挿入して矢印側の斜視図のように複数個の取付けネジ６ｋで組付け固定する。すなわち、左右の角スタット３にある外側取付け板２０ｂに内側取付け板２０ａとともに組み込まれ、着脱は複数個の取付けネジ６ｋで内側取付け板２０ａを外して行なう。【００１９】  図１０は室内空気吸引パネル１９の組付け図を表す。ファンモータ６ｃと殺菌灯を搭載した内側取付け板２０ａを吸引口１ａの内部右側にある角スタット３ｂへ設置する。同様に、吸引ファン６と殺菌灯を搭載した内側取付け板２０ａを吸引口１ａの内部左側にある角スタット３ａへ設置する。吸引板４とフィルター１８を覆い被せます。室内空気吸引パネル１９上端の天井裏にはダクトボックス１６を添設する。ダクトボックス１６はダクト吐出口１６ａが設けられている。【００２０】  図１１は、図９記載の室内空気吸引パネル１９の吸引口上端Ｂ−Ｂ断面を表す。図６記載の吸引パネル１７の右側角スタット３ｂに右吸引ファン６ｈと右殺菌灯７ｄを搭載した取付け板２０ｂを組み込む。右吸引ファン６ｈは時計方向に回転設定する、同様に、左角スタット３ａに左吸引ファン６ｇと左殺菌灯７ｃを搭載した取付け板２０ｂを組み込む。左吸引ファン６ｇは反時計方向に回転設定する。室内空気吸引パネル１９を建造物の内壁８に貼り付け設置することにより、吸引パネルの中央に空気スペース９が設けられる。【００２１】  図１２は、図９記載の室内空気吸引パネル１９の吸引口中央部Ｂ−Ｂ断面の部品部分破断透視図を表す。吸引パネル１７は右端に右側係止アングル２ｂと右側角スタット３ｂが下端を揃えて貼り付けられている。吸引口１ａ内部の右側角スタット３ｂに外取付け板２０ｂが取り付けて右吸引ファン６ｈと殺菌灯７ｄを搭載した内取付け板２０ａを取付けネジ６ｆで組み込む。同様に、吸引パネル１７の左側係止アングル２ａと左角スタット３ａの下端を揃えて貼り付けられている。吸引口１ａ左側の左角スタット３ａには外取付け板２０ｂが取り付けて左吸引ファン６ｇと殺菌灯７ｃを搭載した内取付け板２０ａを取付けネジ６ｆで組み込む。また、吸込���４にフィルター１８を嵌め込む（矢印方向１８ａ）。吸引口枠５を複合パネル１の吸引口１ａに嵌め込み、フィルター１８が挿入されている吸引板４を２個のパネル係止４ｃと設置ガイド４ｄに沿って組付ける。【００２２】  図１３は室内空気吸引パネル１９を横並列据付けタイプのものであり、図９記載のＢ−Ｂ断面を横並列据付けタイプを表す。図１０記載の吸引パネル１７の右係止アングル２ｂが無い物と左係止アングル２ａの無い物を建造物の内壁８に右側角スタット３ｂと左側角スタット３ａを横並列に並べて貼り付ける。それぞれの吸引パネル１７右側に右吸引ファン６ｈと殺菌灯７ｄを搭載した取付け板が角スタット３ｂに組み込まれる。右吸引ファン６ｈは時計方向に回転する、また、複合パネル１の左側には左吸引ファン６ｇと殺菌灯７ｃを搭載した取付け板が角スタット３ｂに組み込まれる。左吸引ファン６ｇは反時計方向に回転する。建造物の内壁８に横並列に貼り付けることにより、それぞれの吸引パネル１７に空気スペース９が設けられる。【００２３】  図１４は室内空気吸引パネル１９の空調系統図を表す。各種建造物の内壁８に、室内空気吸引パネル１９の長手下方を床面１３に接し、上方は天井１４裏に突き出してダクトボックス１６を添設する。殺菌灯７と吸引ファン６を室内空気吸引パネル１９と壁内面に組付けてフィルター１８を被せる。ダクトボックス１６とクリーンファンユニット１５はエア配管１１で接続される。吸引ファン６とクリーンファンユニット１５が作動すると室内１０の内部空気がフィルター１８でゴミやホコリは濾過される、同様に吸引口１ａ内部に取り付けた吸引ファン６の吸引力とと殺菌灯７の殺菌清浄力で吸い込んだ室内１０の空気は空気スペース９を上方に流れダクトボックス１６とエア配管を径由してクリーンファンユニット１５内のＨＥＰＡフィルター１２で清浄して均一化された空気が室内１０に循環される。
【符号の説明】
【００２４】４、４ａ、４ｂ：吸引板
５，５ｃ：吸引口枠
６、６ｇ、６ｈ：吸引ファン
７、７ｃ、７ｄ：殺菌灯
１８：フィルター
１７：吸引パネル
１９：室内空気吸引パネル
【図１】
2015016279.tif 000003
【図２】
2015016279.tif 000004
【図３】
2015016279.tif 000005
【図４】
2015016279.tif 000006
【図５】
2015016279.tif 000007
【図６】
2015016279.tif 000008
【図７】
2015016279.tif 000009
【図８】
2015016279.tif 000010
【図９】
2015016279.tif 000011
【図１０】
2015016279.tif 000012
【図１１】
2015016279.tif 000013
【図１２】
2015016279.tif 000014
【図１３】
2015016279.tif 000015
【図１４】
2015016279.tif 000016
【図１５】
2015016279.tif 000017